(57)【特許請求の範囲】
【請求項１】
クラフトパルプ製造工程から排出されるメタノールを含む有機性廃水を、調整槽を介してメタン発酵槽で処理する嫌気性処理方法において、前記メタン発酵槽は、通常運転時には槽内にアルカリ剤を添加し、前記メタン発酵槽の運転休止時には、槽内に洗浄用希釈水を注入して希釈洗浄すると共に、槽内に炭酸水素ナトリウム、カリウム塩、又は、アルカリ性の場内薬液のいずれか１種類以上を添加し、前記メタン発酵槽の立ち上げ時には、槽内に炭酸水素ナトリウムを添加し、該炭酸水素ナトリウムの添加は、希釈水注入場所からメタン発酵槽流出部までの容量当たり１００ｍｇ／Ｌ以上１００００ｍｇ／Ｌ以下であることを特徴とする嫌気性処理方法。
【請求項２】
クラフトパルプ製造工程から排出されるメタノールを含む有機性廃水を、調整槽を介してメタン発酵槽で処理する嫌気性処理方法において、前記メタン発酵槽は、通常運転時には槽内にアルカリ剤を添加し、前記メタン発酵槽の運転休止時には、槽内に洗浄用希釈水を注入して希釈洗浄すると共に、槽内に炭酸水素ナトリウム、カリウム塩又はアルカリ性の場内薬液のいずれか１種類以上を添加し、前記メタン発酵槽の立ち上げ時には、槽内に炭酸水素ナトリウムを添加し、前記メタン発酵槽内の水希釈洗浄の水量は、希釈水の注入場所からメタン発酵槽流出部までの容量の０．１から１０倍であることを特徴とする嫌気性処理方法。
【請求項３】
請求項１又は２記載の嫌気性処理方法において、前記メタン発酵槽の運転休止時に、前記メタン発酵槽への有機性廃水の供給停止と、槽内に供給する前記洗浄用希釈水の注入と
、炭酸水素ナトリウム、カリウム塩又はアルカリ性の場内薬液のいずれか１種類以上の添加の開始を制御することを特徴とする嫌気性処理方法。
【請求項４】
前記カリウム塩の添加量は、希釈水注入場所からメタン発酵槽流出部までの容量当たり１ｍｇ／Ｌ以上で２０００ｍｇ／Ｌ以下であることを特徴とする請求項１，２又は３に記載の嫌気性処理方法。
【請求項５】
前記アルカリ性の場内薬液の弱液の添加量は、希釈水注入場所からメタン発酵槽流出部までの容量当たり０．１Ｌ−弱液／ｍ3−原水から２０Ｌ−弱液／ｍ3−原水であることを特徴とする請求項１，２又は３に記載の嫌気性処理方法。
【請求項６】
クラフトパルプ製造工程から排出されるメタノールを含む有機性廃水を、調整槽を介してメタン発酵槽で処理する嫌気性処理装置において、前記メタン発酵槽内に、該槽内を希釈洗浄する洗浄用希釈水を注入する導入口と、炭酸水素ナトリウム、カリウム塩又はアルカリ性の場内薬液のうちのいずれか１種以上を添加する導入口とを有し、これらの導入口には、注入量を制御する制御手段を有し、前記槽内を希釈洗浄する希釈水量を、希釈水の注入場所からメタン発酵槽流出部までの容量の０．１から１０倍に制御する制御手段を有することを特徴とする嫌気性処理装置。
【発明の詳細な説明】
【技術分野】
【０００１】
本発明は、紙パルプ工場より排出される有機性廃水等を対象とし、この廃水を処理する嫌気性処理方法及び装置、特にメタン発酵処理方法及び装置の運転休止後の迅速な立ち上げに関するものである。
【背景技術】
【０００２】
クラフトパルプ製造工程では、木材チップに硫化ナトリウムや水酸化ナトリウムを主成分とする蒸解薬液（これを白液という）を添加して、高温で蒸解することでリグニンを除去してパルプを得ている。パルプを取り出した後のリグニンと蒸解薬品との混合液（これを黒液という）を、真空蒸発缶等により濃縮を行い、濃縮された黒液は回収ボイラーで焼却されエネルギーを回収している。ボイラーでの黒液の焼却残渣には、還元された蒸解薬品が無機溶融物質（これをスメルトという）になる。スメルトは、薬液再生工程である苛性化工程にて発生する廃液（これを弱液という）の一部により溶解され、緑液として苛性化工程へ送られる。苛性化工程では、緑液と酸化カルシウム（生石灰）とを反応させ水酸化ナトリウムと炭酸カルシウムを生成し、炭酸カルシウムを沈降除去した後、上澄み白液として蒸解工程で再利用している。苛性化工程で、緑液中の未燃カーボン、あるいは白液中の炭酸カルシウム等の固形物が沈降除去されるが、これらの沈殿物の洗浄廃液が前述の弱液となり、前述のスメルト溶解に使用される（非特許文献１、特許文献１）。
【０００３】
廃水の活性汚泥に代表される好気性処理方法は、曝気動力を要し、ランニングコストが多大であり、さらに余剰汚泥が多量に発生するといった問題がある。一方、嫌気性処理方法であるメタン発酵処理は、曝気動力を必要とせず、メタンガスをエネルギーとして回収でき、余剰汚泥発生量が少ないといったメリットがあることが知られている（特許文献２）。
【０００４】
紙パルプ工場などの各種工場では、生産設備の定期点検のため、数日から数週間、操業を休止することがある。工場設備での生産量は、休止明け数日で定常の生産量となると共に、排水も定常の水量が排出される。したがって、廃水処理設備においても操業休止後、数日間で全量を処理できる性能が求められる。しかし、生物処理を行う場合は、運転休止後の処理性能は低下しているため、低下した処理性能をカバーできる規模の廃水処理設備が必要となる。
クラフトパルプ製造工程で排出されるメタノールを含む凝縮液の嫌気性処理において、運転休止時に特別な操作を行なわず運転を休止すると、運転再開後の立ち上げが遅く、さらに立ち上げが遅い状態で処理性能を超える負荷をかけると、メタン生成活性の低下、汚泥流出、処理水質の悪化などの多くの問題が発生する。
【先行技術文献】
【特許文献】
【０００５】
【特許文献１】特開２００５−２００８２１号公報
【特許文献２】特開２００７−３１９８４２号公報
【非特許文献】
【０００６】
【非特許文献１】紙パルプ技術協会、紙パルプ製造技術シリーズ１クラフトパルプ、ｐ．２２５−２２８
【発明の概要】
【発明が解決しようとする課題】
【０００７】
そこで、本発明では、前記従来技術の問題点を解消し、運転休止時の嫌気性処理設備の運転方法を改善することで、運転休止後に迅速に立ち上げることができる嫌気性処理方法と装置を提供することを課題とする。
【課題を解決するための手段】
【０００８】
上記課題を解決するために、本発明では、クラフトパルプ製造工程から排出されるメタノールを含む有機性廃水を、調整槽を介してメタン発酵槽で処理する嫌気性処理方法において、前記メタン発酵槽は、通常運転時には槽内にアルカリ剤を添加し、前記メタン発酵槽の運転休止時には、槽内に洗浄用希釈水を注入して希釈洗浄すると共に、槽内に炭酸水素ナトリウム、カリウム塩、又は、アルカリ性の場内薬液のいずれか１種類以上を添加し
、前記メタン発酵槽の立ち上げ時には、槽内に炭酸水素ナトリウムを添加し、該炭酸水素ナトリウムの添加は、希釈水注入場所からメタン発酵槽流出部までの容量当たり１００ｍｇ／Ｌ以上１００００ｍｇ／Ｌ以下であることを特徴とする嫌気性処理方法としたものである。
また、本発明では、クラフトパルプ製造工程から排出されるメタノールを含む有機性廃水を、調整槽を介してメタン発酵槽で処理する嫌気性処理方法において、前記メタン発酵槽は、通常運転時には槽内にアルカリ剤を添加し、前記メタン発酵槽の運転休止時には、
槽内に洗浄用希釈水を注入して希釈洗浄すると共に、槽内に炭酸水素ナトリウム、カリウム塩又はアルカリ性の場内薬液のいずれか１種類以上を添加し、前記メタン発酵槽の立ち上げ時には、槽内に炭酸水素ナトリウムを添加し、前記メタン発酵槽内の水希釈洗浄の水量は、希釈水の注入場所からメタン発酵槽流出部までの容量の０．１から１０倍であることを特徴とする嫌気性処理方法としたものである。
前記嫌気性処理方法おいて、嫌気性処理方法において、前記メタン発酵槽の運転休止時に、前記メタン発酵槽への有機性廃水の供給停止と、槽内に供給する前記洗浄用希釈水の注入と、炭酸水素ナトリウム、カリウム塩又はアルカリ性の場内薬液のいずれか１種類以上の添加の開始を制御することができ、また、前記カリウム塩の添加量は、希釈水注入場所からメタン発酵槽流出部までの容量当たり１ｍｇ／Ｌ以上で２０００ｍｇ／Ｌ以下であり、前記アルカリ性の場内薬液の弱液の添加量は、希釈水注入場所からメタン発酵槽流出部までの容量当たり０．１Ｌ−弱液／ｍ3−原水から２０Ｌ−弱液／ｍ3−原水とすることができる。
【０００９】
さらに、本発明では、クラフトパルプ製造工程から排出されるメタノールを含む有機性廃水を、調整槽を介してメタン発酵槽で処理する嫌気性処理装置において、前記メタン発酵槽内に、該槽内を希釈洗浄する洗浄用希釈水を注入する導入口と、炭酸水素ナトリウム
、カリウム塩又はアルカリ性の場内薬液のうちのいずれか１種以上を添加する導入口とを有し、これらの導入口には、注入量を制御する制御手段を有し、前記槽内を希釈洗浄する希釈水量を、希釈水の注入場所からメタン発酵槽流出部までの容量の０．１から１０倍に制御する制御手段を有することを特徴とする嫌気性処理装置としたものである。
【発明の効果】
【００１０】
本発明は、紙パルプ廃水を対象としたメタン発酵処理プロセスにおいて、運転休止時に、メタン発酵槽内液を水で希釈洗浄を行うことで運転休止後のメタン発酵処理プロセスを迅速に立ち上げることができるもので、さらに、該メタン発酵槽内液に炭酸水素ナトリウム、カリウム塩、クラフトパルプ製造工程で使用されるアルカリ性の場内薬液のいずれか１種類以上を添加することで、メタン発酵処理プロセスをより迅速に立ち上げることができるもので、安定したメタン発酵処理を可能とするものである。
【図面の簡単な説明】
【００１１】
【図１】本発明の処理装置の一例を示すフロー構成図。
【発明を実施するための形態】
【００１２】
以下、本発明の実施の形態を図面を参照して説明する。
図１は、本発明を実施するのに好ましい本発明の薬液添加手段を備えた一相式の上向流嫌気性処理工程からなる一相式嫌気性処理装置の一形態のフロー構成図である。
本発明における嫌気性処理工程とは、嫌気微生物を浮遊状態で保持する嫌気性消化法や、自己造粒性の嫌気微生物からなるグラニュール汚泥を保持した上向流汚泥床法（ＵＡＳＢ）、嫌気微生物を砂や粒状活性炭などの流動性担体表面に保持する嫌気性流動床法、嫌気微生物を固定床充填材の表面に保持する嫌気性固定床法などがあるが、いずれの方式でも良い。
また、酸発酵とメタン発酵とを一つの反応槽で行う一相式でも、両反応を別々の反応槽で行う二相式でも良い。二相式の場合、クラフトパルプ工場内で発生する薬液を酸発酵槽に添加しても、メタン発酵槽に添加してもよい。
【００１３】
本発明が対象とするクラフトパルプ製造工程から排出される有機性廃水とは、木材チップの蒸解工程や黒液の濃縮工程で発生するガスの凝縮水（これをコンデンセートという）を指す。
コンデンセートは、ＰＨ８．０〜１０．５、ＣＯＤＣｒ１２００ｍｇ/Ｌ〜１３０００ｍｇ/Ｌで、メタノールを４００ｍｇ/Ｌ〜８５００ｍｇ/Ｌ有し、ほかに硫化水素、メチルメルカプタン、硫化メチル、二硫化メチル、アンモニアといった悪臭成分を含んでいる。このため、悪臭成分を除去するため、スチームストリッピングやエアーストリッピング等の物理学的除去方法と活性汚泥等の生物学的除去方法が併用されることが多い。
また、本発明では、処理操作を運転休止するとは、少なくとも０．５日以上、特に、１日以上運転を休止した場合である。
【００１４】
ここでは、一例としてコンデンセートを原水とした一相式の上向流汚泥床法について説明するが、コンデンセートから悪臭物質を除去するためにストリッピング処理したストリッピング処理水を原水として処理しても良い。
図１において、原水３は、調整槽２に導入され、調整槽２とメタン発酵槽１の下部は配管によって連絡され、メタン発酵槽１に流入した原水３は上向流となり、メタン発酵槽上部より流出する。流出した処理水の一部は、循環水５としてメタン発酵槽流入部へ循環する。残りの処理水４は、必要に応じて活性汚泥処理などの後段の処理工程へ導入される。上向流嫌気性処理装置は、嫌気性菌からなるグラニュール汚泥を投入して使用する。
本発明の対象となる嫌気性処理は、３０℃〜３７℃を至適温度とした中温メタン発酵処理、５０℃〜５５℃を至適温度とした高温メタン発酵処理の温度範囲の嫌気性処理のいずれでもよい。
【００１５】
調整槽２へは、栄養剤としてリン酸塩が含まれる薬品、微量元素として鉄、コバルト、ニッケルからなる薬品及びカリウム塩が添加される。また、メタノールを基質とするメタン発酵菌の至適ｐＨの観点から、ＵＡＳＢ内のｐＨを６．５〜８．２となるように、調整槽２へアルカリ剤が添加される。アルカリ剤としては、水酸化ナトリウム、水酸化カルシウム、水酸化マグネシウム、炭酸ナトリウム、炭酸水素ナトリウム等があるが、ｐＨ制御の容易さ、及び取り扱いの容易さを考慮して、水酸化ナトリウムが使用されることが多い。これらアルカリ剤のほかに、クラフトパルプ製造工程で使用されるアルカリ性の場内薬液を使用することもできる。
また、添加するカリウム塩は、塩化カリウム、硝酸カリウム、硫酸カリウム、炭酸カリウム、リン酸カリウム等のいずれでもよいが、安価で、取り扱いの容易な塩化カリウムがよい。
【００１６】
図１では、調整槽２に洗浄用の希釈水６を注入するライン、炭酸水素ナトリウム供給ライン、塩化カリウム、弱酸７の供給ラインが設置されており、原水３の供給停止と希釈水６及び炭酸水素ナトリウム、カリウム塩及び弱液の供給を開始する制御手段９が配備されている。
運転休止時において、制御手段９からの信号により、水希釈洗浄は、原水供給が終了してから、２４時間以内、好ましくは１２時間以内に行う。使用する希釈水は、工業用水、河川水、井水、水道水、排水処理工程を経た処理水のいずれでもよい。水希釈洗浄によって冷却も行うため、水希釈洗浄後のメタン発酵槽の水温は３０℃以下、好ましくは２５℃以下が良い。希釈水は原水の供給配管、調整槽、メタン発酵槽への流入部のいずれに注入しても良いし、２ヶ所以上に分けて注入しても良い。
【００１７】
水希釈洗浄の水量は、希釈水の注入場所からメタン発酵槽流出部までの容量の０．１から１０倍、好ましくは０．２から５倍が良い。過剰な水量で水希釈を行なっても効果がないばかりか、希釈水に含まれる溶存酸素や消毒用の残留塩素によってメタン発酵菌の活性が低下する恐れがあるため、メタン発酵槽からの流出水の水質を目安にするとより効果的である。メタン発酵槽の流出水の水質指標として、酸化還元電位（ＯＲＰ）、溶存硫化物濃度を用いることができる。酸化還元電位を用いる場合は、０ｍＶ未満、好ましくは−１００ｍＶ未満が良い。溶存硫化物濃度を用いる場合は、１ｍｇ／Ｌ以上で１００ｍｇ／Ｌ以下、好ましくは５ｍｇ／Ｌ以上で７０ｍｇ／Ｌ以下が良い。
【００１８】
炭酸水素ナトリウムの添加は、水希釈前、水希釈中、水希釈後のいずれでもよいが、水希釈前が好ましい。通常運転時は、アルカリ度供給のために水酸化ナトリウム等のアルカリ剤が添加されるが、立ち上げ時は、メタン発酵に伴う二酸化炭素の発生量が少なく、過剰なアルカリ剤を供給すると、メタン発酵液のｐＨがメタン発酵菌の至適範囲である６．５から８．２を超えてしまうことがあるため、立ち上げ時にも弱アルカリ性である炭酸水素ナトリウムを添加すると良い。添加量は、希釈水の注入場所からメタン発酵槽流出部までの容量あたりで、１００ｍｇ／Ｌ以上で１００００ｍｇ／Ｌ以下となるように添加するとよい。
カリウム塩の添加は、水希釈前、水希釈中、水希釈後のいずれでもよいが、水希釈前が好ましい。さらに、立ち上げ時にも添加すると良い。添加量は、希釈水の注入場所からメタン発酵槽流出部までの容量あたりで、カリウムとして１ｍｇ／Ｌ以上で２０００ｍｇ／Ｌ以下となるように添加するとよい。
【００１９】
また、添加するクラフトパルプ製造工程で使用されるアルカリ性の場内薬液としては、白液、緑液、弱液を使用することができる。特に、廃液とされる弱液を利用することで、廃液の有効利用を図れる。弱液には、炭酸ナトリウムと塩化カリウムが多く含まれているため、炭酸水素ナトリウムと塩化カリウムの代替として添加することができる。弱液の添加量は、希釈水の注入場所からメタン発酵槽流出部までの容量あたりで、０．１Ｌ−弱液／ｍ３−原水から２０Ｌ−弱液／ｍ３−原水、好ましくは０．２Ｌ−弱液／ｍ３−原水から１０Ｌ−弱液／ｍ３−原水がよい。
通常、弱液のｐＨは、１２以上と高いため、メタン発酵に伴う二酸化炭素が発生していない運転休止時や、二酸化炭素発生量の少ない立ち上げ時は、二酸化炭素による中和効果が不足するので酸を加えて中和した弱液を使用すると良い。使用する酸は、塩酸、リン酸、硫酸、硝酸等が挙げられるが、安価でメタン発酵への影響がない塩酸が好ましい。
【００２０】
炭酸水素ナトリウム、カリウム塩、クラフトパルプ製造工程で使用されるアルカリ性の場内薬液の添加位置は、循環水や希釈水によってメタン発酵槽に供給できればどこでもよく、原水の供給配管、調整槽、メタン発酵槽への流入部のいずれに注入しても良いし、２ヶ所以上に注入しても良い。希釈水と混合して供給してもよいし、炭酸水素ナトリウム、塩化カリウムは溶液として添加してもよい。添加する場所で十分に溶解・混合できれば粉体として添加してもよい。
さらに、水希釈の前に、コンデンセートをストリッピング処理したストリッピング処理水に切り替えると、洗浄効果がより効果的となる。ストリッピング処理水の通水量は、注入場所からメタン発酵槽流出部までの容量の０．２倍以上から１５倍以内、好ましくは０．５倍以上から１０倍以内が好ましい。
【実施例】
【００２１】
以下に本発明を実施例により具体的に説明するが、本発明はこれらの実施例によって限定されるものではない。
参考例１  （回分試験）
クラフトパルプ工場のコンデンセートに馴致した汚泥を用いて、運転休止を想定した回分処理試験を実施した。結果を表１に示す。
参考例１は採取した汚泥を３５℃の状態で７日間保管した。参考例２は２０〜２５℃の室温で７日間保管した。
参考例１、参考例２ともに、汚泥を１２０ｍＬバイアル瓶に入れ、メタノール由来のＣＯＤＣｒが２０００ｍｇ／Ｌとなるようにメタノールを添加し、ゴム栓により密栓した。所定時間後に発生するガス量とメタン濃度を測定し、メタンガス発生量を算出した。表１は、採取翌日の２４時間後の積算メタンガス発生量を１００％とした場合のメタンガス発生量を示した。
参考例１のメタンガス発生量は、３時間後で７％しかないが、参考例２では、３８％に達し、採取直後の４２％と同等であり活性低下はみられなかった。冷却による立ち上げ時間の短縮が確認された。
【００２２】
【表１】
0005759840.tif 000002
【００２３】
実施例１〜８  （回分試験）
クラフトパルプ工場のコンデンセートに馴致した汚泥を用いて、運転休止を想定した回分処理試験を実施した。結果を表２に示す。
比較例１は、採取した汚泥を２０℃の室温にて６日間保管し、その後１日間３５℃で予備加温を行った。
実施例１は、採取した汚泥の０．２倍容量の工業用水を加えたあと、加えた工業用水と同量の上澄みを捨てる希釈洗浄を行なったあと、２０℃の室温にて６日間保管し、その後１日間３５℃で予備加温を行った。
実施例２は、採取した汚泥に同容量の工業用水を加えたあと、加えた工業用水と同量の上澄みを捨てる希釈洗浄を行なったあと、実施例１と同様に室温保管と予備加温を行った。
実施例３は、採取した汚泥の２倍容量の工業用水を加えたあと、加えた工業用水と同量の上澄みを捨てる希釈洗浄を行なったあと、実施例１と同様に室温保管と予備加温を行った。
【００２４】
実施例４は、炭酸水素ナトリウムを５００ｍｇ／Ｌとなるように添加した後、実施例２と同様に希釈洗浄と室温保管と予備加温を行なった。
実施例５は、実施例２と同様に希釈洗浄を行なったあと、炭酸水素ナトリウムを５００ｍｇ／Ｌとなるように添加し、実施例２と同様に室温保管と予備加温を行なった。
実施例６は、炭酸水素ナトリウムを５００ｍｇ／Ｌとなるように添加した後、希釈洗浄を行わず、実施例１と同様に室温保管と予備加温を行った。
実施例７は、塩化カリウムをカリウムとして３０ｍｇ／Ｌとなるように添加した後、希釈洗浄を行わず、実施例１と同様に室温保管と予備加温を行った。
実施例８は、弱液を２Ｌ／ｍ３となるように添加した後、希釈洗浄を行わず、実施例１と同様に室温保管と予備加温を行った。
【００２５】
比較例、実施例ともに予備加温を行なったあと、汚泥を５００ｍＬポリ瓶に入れ、ＣＯＤｃｒが２０００ｍｇ／Ｌとなるようにメタノールを添加し、所定時間後のＳ−ＣＯＤＣｒを測定した。
６時間後のＳ−ＣＯＤＣｒ除去率は、比較例１で２％しかないが、実施例１では４０％、実施例２では４９％、実施例３では６６％に達し、洗浄による活性維持の効果が確認された。また、実施例４の３時間後のＳ−ＣＯＤＣｒ除去率は６５％、実施例５では５０％であった。実施例４は実施例２よりも高く洗浄工程の効果を高めた。実施例５は実施例２と同等の効果であった。また、実施例６の６時間後のＳ−ＣＯＤＣｒ除去率は４０％、実施例７の６時間後のＳ−ＣＯＤＣｒ除去率は３５％、実施例８の６時間後のＳ−ＣＯＤＣｒ除去率は５５％であった。実施例６、７、８は実施例１と同等の効果であった。
【００２６】
【表２】
0005759840.tif 000003
※１：Ｓ−ＣＯＤＣｒはＮｏ．５Ａろ紙のろ液ＣＯＤＣｒを示す。
【００２７】
実施例９〜１１  （ベンチ試験）
クラフトパルプ工場のコンデンセートに馴致した汚泥を用いて、運転休止を想定した連続処理試験を実施した。結果を表３に示す。
試験は、容量１０Ｌ（１０ｃｍ角、高さ１ｍ）、３段のＧＳＳを備えたリアクターを使用し、コンデンセートを原水とし、ＣＯＤＣｒ容積負荷２０ｋｇ／（ｍ３・ｄ）で運転した。運転休止期間７日間をはさんで、ＣＯＤＣｒ容積負荷２０ｋｇ／（ｍ３・ｄ）で運転を再開した。各実施例は、ともに工業用水で洗浄を行なってから運転を休止した。運転休止期間は、３０〜３５℃で加温状態での循環運転を継続した。
実施例９では、運転再開時に塩化カリウム、弱液の添加はしていない。実施例１０は、塩化カリウムをカリウムとして３０ｍｇ／Ｌを添加した。実施例６は、塩酸でｐＨを７に中和した弱液を２Ｌ−弱液／ｍ３−原水で添加した。
実施例９の２４時間後のＳ−ＣＯＤＣｒ除去率は７０％であったが、実施例１０は７４％、実施例１１は８１％に向上した。
【００２８】
【表３】
0005759840.tif 000004
※１：Ｓ−ＣＯＤＣｒはＮｏ．５Ａろ紙のろ液ＣＯＤＣｒを示す。
【００２９】
実施例１２  （実機）
容量３３０ｍ３（直径６．１ｍ、高さ１１．３ｍ）、３段のＧＳＳを備えたリアクターを使用したクラフトパルプ工場のコンデンセートを原水に稼動している嫌気性処理装置にて、運転休止期間１０日間をはさんで、運転を再開した。結果を実施例１２として表４に示す。
コンデンセートをストリッピング処理水に切り替え、メタン発酵槽の容量の２．２倍の水量を通水したのち、ストリッピング処理水の通水を停止した。ストリッピング処理水の通水停止後、ただちに、調整槽に設けられた工業用水注入配管より工業用水による希釈洗浄を開始し、調整槽とメタン発酵槽の容量の０．５倍の水量を通水した。希釈洗浄中は、調整槽とメタン発酵槽で５００ｍｇ／Ｌとなるように炭酸水素ナトリウムを、カリウムとして３０ｍｇ／Ｌとなるように塩化カリウムを調整槽に添加した。１０日間の原水供給の休止後、コンデンセートの通水を開始した。炭酸水素ナトリウムの添加は、調整槽とメタン発酵で５００ｍｇ／Ｌとなるように１１時間行なった。順次、負荷を増加し１１日後に運転休止前と同じ負荷とした。Ｓ−ＣＯＤＣｒ除去率は３日後以降９０％以上で安定した。
【００３０】
【表４】
0005759840.tif 000005
※１：Ｓ−ＣＯＤＣｒはＮｏ．５Ａろ紙のろ液ＣＯＤＣｒを示す。
【符号の説明】
【００３１】
１：メタン発酵槽、２：調整槽、３：原水、４：処理水、５：循環水、６：希釈水、７：カリウム塩、炭酸水素ナトリウム、弱液、８：栄養剤の微量元素、アルカリ剤、９：制御手段
【図１】
0005759840.tif 000006